(57)【特許請求の範囲】
【請求項１】
光ディスクに対して光ビームを照射し、光ディスクに記録されたデータが反映された反射光を検出し、この反射光の検出結果から光ディスクに記録されたデータが電圧レベルの変化で示された再生信号を生成する光検出手段と、
前記光検出手段により生成された前記再生信号を２値化し、この２値化の結果が電圧レベルの変化で示されたデータ信号を生成する２値化手段と、
前記２値化手段により生成された前記データ信号のタイミングを決定するためのクロックであって、電圧レベルの変化で示されたデータクロックを生成するデータクロック生成手段と、
前記２値化手段により生成された前記データ信号が電流レベルの変化で示された第１の伝送用データ信号を生成し、この第１の伝送用データ信号と逆相の第２の伝送用データ信号を生成し、前記データクロックが電流レベルの変化で示された第１の伝送用データクロックを生成し、この第１の伝送用データクロックと逆相の第２の伝送用データクロックを生成し、これら第１及び第２の伝送用データ信号、並びにこれら第１及び第２の伝送用データ信号に対応した第１及び第２の伝送用データクロックを伝送する伝送手段と、
前記伝送手段により伝送された前記第１及び第２の伝送用データ信号の電流レベルに基づき前記データ信号を生成し、前記伝送手段により伝送された前記第１及び第２の伝送用データクロックの電流レベルに基づき前記データクロックを生成し、この生成された前記データクロックに基づき、この生成された前記データ信号を復調する復調手段と、
を備えたことを特徴とする光ディスク装置。
【請求項２】
電圧レベルの変化で示されたデータ信号が電流レベルの変化で示された第１の伝送用データ信号を生成し、この第１の伝送用データ信号と逆相の第２の伝送用データ信号を生成し、このデータ信号のタイミングを決定するためのクロックであって、電圧レベルの変化で示されたデータクロックが電流レベルの変化で示された第１の伝送用データクロックを生成し、この第１の伝送用データクロックと逆相の第２の伝送用データクロックを生成し、これら第１及び第２の伝送用データ信号、並びにこれら第１及び第２の伝送用データ信号に対応した第１及び第２の伝送用データクロックを伝送する伝送手段と、
前記伝送手段により伝送された前記第１及び第２の伝送用データ信号の電流レベルに基づき前記データ信号を生成し、前記第１及び第２の伝送用データクロックの電流レベルに基づき前記データクロックを生成し、これら生成された前記データ信号及び前記データクロックに基づき生成される記録信号が反映された光ビームを光ディスクに対して照射して、前記記録信号を光ディスクに対して記録する記録手段と、
を備えたことを特徴とする光ディスク装置。
【請求項３】
光ディスクに対して光ビームを照射し、光ディスクに記録されたデータが反映された反射光を検出し、この反射光の検出結果から光ディスクに記録されたデータが電圧レベルの変化で示された再生信号を生成する光検出手段と、
前記光検出手段により生成された前記再生信号を２値化し、この２値化の結果が電圧レベルの変化で示されたデータ信号を生成する２値化手段と、
前記２値化手段により生成された前記データ信号のタイミングを決定するためのクロックであって、電圧レベルの変化で示されたデータクロックを生成するデータクロック生成手段と、
前記２値化手段により生成された前記データ信号、及び前記データクロック生成手段により生成された前記データクロックが合成された結果が電流レベルの多値変化で示された第１の伝送用データを生成し、この第１の伝送用データと逆相の第２の伝送用データを生成し、これら第１及び第２の伝送用データを伝送する伝送手段と、
前記伝送手段により伝送された前記第１の伝送用データの電流レベル変化及び前記第２の伝送用データの電流レベル変化の組み合わせに基づき前記データ信号及び前記データクロックを生成し、この生成された前記データクロックに基づき、この生成された前記データ信号を復調する復調手段と、
を備えたことを特徴とする光ディスク装置。
【請求項４】
電圧レベルの変化で示されたデータ信号、及びこのデータ信号のタイミングを決定するためのクロックであって、電圧レベルの変化で示されたデータクロックが合成された結果が電流レベルの多値変化で示された第１の伝送用データを生成し、この第１の伝送用データと逆相の第２の伝送用データを生成し、これら第１及び第２の伝送用データを伝送する伝送手段と、
前記伝送手段により伝送された前記第１の伝送用データの電流レベル変化及び前記第２の伝送用データの電流レベル変化の組み合わせに基づき前記データ信号及び前記データクロックを生成し、これら生成された前記データ信号及び前記データクロックに基づき生成される記録信号が反映された光ビームを光ディスクに対して照射して、前記記録信号を光ディスクに対して記録する記録手段と、
を備えたことを特徴とする光ディスク装置。
【発明の詳細な説明】
【０００１】
【発明の属する技術分野】
この発明は、光ディスクに記録されているデータの再生、又は光ディスクに対してデータの記録を行う光ディスク装置に関し、特に、この光ディスク装置内におけるデータ伝送の改良に関する。
【０００２】
【従来の技術】
光ディスク装置におけるデータ再生及びデータ記録について簡単に説明する。
【０００３】
データ再生の場合、光学ヘッドに設けられた半導体レーザにより、光ディスクに対して再生用のレーザ光が照射される。このとき、光学ヘッドに設けられた光検出器により、光ディスクに記録されたデータが反映された反射光が検出され、この反射光の検出結果から光ディスクに記録されたデータが示された再生信号（電圧信号）が生成される。２値化処理部では、光学ヘッドで生成された再生信号が２値化されデータ信号（電圧信号）が生成される。さらに、ＰＬＬ（Phase Locked Loop）回路では、このデータ信号のタイミングを決定するためのデータクロック（電圧信号）が生成される。これらデータ信号及びデータクロックは、このまま復調回路へ伝送され、復調回路ではデータクロックに基づきデータ信号が復調される。
【０００４】
データ記録の場合、変調回路により、データ信号（電圧信号）及びこのデータ信号のタイミングを決定するためのデータクロック（電圧信号）が生成される。これらデータ信号及びデータクロックは、このままレーザ制御回路へ伝送され、レーザ制御回路ではこれらデータ信号及びデータクロックに基づき、レーザ駆動制御信号が生成される。光学ヘッドに設けられた半導体レーザは、レーザ制御回路により生成されたレーザ駆動制御信号に基づき駆動し、この半導体レーザから照射されるレーザ光により、光ディスクに対してデータが記録される。
【０００５】
【発明が解決しようとする課題】
このような光ディスク装置において、近年、データの記録再生速度の高速化が盛んに求められている。この要求に伴い、データ信号及びデータクロックの伝送速度が高速化しつつある。ところが、この高速化に伴い、ＩＣ回路の能力不足、ＩＣ等の回路基板への実装の際についてしまう寄生の抵抗や容量のために、信号波形が歪み、正しい伝送が阻害されつつあった。
【０００６】
この発明の目的は、上記したような事情に鑑み成されたものであって、伝送速度の高速化に対応することが可能な光ディスク装置を提供することにある。
【０００７】
【課題を解決するための手段】
上記課題を解決し目的を達成するために、この発明の光ディスク装置は、以下のように構成されている。
【０００８】
この発明の光ディスク装置は、光ディスクに対して光ビームを照射し、光ディスクに記録されたデータが反映された反射光を検出し、この反射光の検出結果から光ディスクに記録されたデータが電圧レベルの変化で示された再生信号を生成する光検出手段と、前記光検出手段により生成された前記再生信号を２値化し、この２値化の結果が電圧レベルの変化で示されたデータ信号を生成する２値化手段と、前記２値化手段により生成された前記データ信号のタイミングを決定するためのクロックであって、電圧レベルの変化で示されたデータクロックを生成するデータクロック生成手段と、前記２値化手段により生成された前記データ信号が電流レベルの変化で示された第１の伝送用データ信号を生成し、この第１の伝送用データ信号と逆相の第２の伝送用データ信号を生成し、前記データクロックが電流レベルの変化で示された第１の伝送用データクロックを生成し、この第１の伝送用データクロックと逆相の第２の伝送用データクロックを生成し、これら第１及び第２の伝送用データ信号、並びに第１及び第２の伝送用データクロックを伝送する伝送手段と、前記伝送手段により伝送された前記第１及び第２の伝送用データ信号の電流レベルに基づき前記データ信号を生成し、前記伝送手段により伝送された前記第１及び第２の伝送用データクロックの電流レベルに基づき前記データクロックを生成し、この生成された前記データクロックに基づき、この生成された前記データ信号を復調する復調手段とを備えている。
【０００９】
【発明の実施の形態】
以下、この発明の実施の形態について図面を参照して説明する。
【００１０】
図１は、この発明に係る光ディスク装置の概略構成を示す図である。図１に示す光ディスク装置には、光学ヘッド２、２値化回路５、ＰＬＬ回路６、復調回路８、変調回路９、レーザ制御回路１１、及びスピンドルモータ１２などが設けられている。また、光学ヘッド２には、半導体レーザ３及び光検出器４などが設けられている。ＰＬＬ回路６には、伝送部７が設けられている。変調回路９には、伝送部１０が設けられている。
【００１１】
この光ディスク装置によるデータの再生その１について説明する。まず、光学ヘッド１に設けられた半導体レーザ３により、光ディスクに対して再生用のレーザ光が照射される。このとき、光学ヘッド１に設けられた光検出器３により、光ディスクに記録されたデータが反映された反射光が検出され、この反射光の検出結果から光ディスクに記録されたデータが示された再生信号（電圧信号）が生成される。２値化回路５では、光検出器４で生成された再生信号が２値化されデータ信号（電圧信号）が生成される。さらに、ＰＬＬ（Phase Locked Loop）回路７では、このデータ信号のタイミングを決定するためのデータクロック（電圧信号）が生成される。
【００１２】
図２に示すように、伝送部７は、データ信号（電圧信号）を複数の電流信号に置き換え、同様に、データクロック（電圧信号）を複数の電流信号に置き換える。このとき置き換えられた複数の電流信号の総和は、一定値となる。
【００１３】
具体的に言うと、伝送部７は、データ信号（電圧信号）から第１の伝送用データ信号（電流信号）を生成するとともに、この第１の伝送用データ信号と逆相の第２の伝送用データ信号（電流信号）を生成する。第１の伝送用データ信号は、データ信号（電圧信号）を電流レベルの変化で示した信号である。また、第１の伝送用データ信号と第２の伝送用データ信号の総和（電流レベル）は、常に一定値となる。
【００１４】
同様に、伝送部７は、データクロック（電圧信号）から第１の伝送用データクロック（電流信号）を生成するとともに、この第１の伝送用データクロックと逆相の第２の伝送用データクロック（電流信号）を生成する。第１の伝送用データクロックは、データクロック（電圧信号）を電流レベルの変化で示した信号である。また、第１の伝送用データクロックと第２の伝送用データクロックの総和は、常に一定値となる。
【００１５】
結果的に、伝送部７は、復調回路８に対して、第１及び第２の伝送用データ信号、並びに第１及び第２の伝送用データクロックを出力する。復調回路８は、第１及び第２の伝送用データ信号（電流信号）からデータ信号（電圧信号）を生成するとともに、第１及び第２の伝送用データクロック（電流信号）からデータクロック（電圧信号）を生成する。さらに、復調回路８は、データクロックに基づき、データ信号を復調する。
【００１６】
続いて、この光ディスク装置によるデータの記録その１について説明する。まず、変調回路９により、変調されたデータ信号（電圧信号）、及びこのデータ信号のタイミングを決定するためのデータクロック（電圧信号）が生成される。図２に示すように、伝送部１０は、データ信号（電圧信号）を複数の電流信号に置き換え、同様に、データクロック（電圧信号）を複数の電流信号に置き換える。このとき置き換えられた複数の電流信号の総和は、一定値となる。
【００１７】
具体的に言うと、伝送部１０は、データ信号（電圧信号）から第１の伝送用データ信号（電流信号）を生成するとともに、この第１の伝送用データ信号と逆相の第２の伝送用データ信号（電流信号）を生成する。第１の伝送用データ信号は、データ信号（電圧信号）を電流レベルの変化で示した信号である。また、第１の伝送用データ信号と第２の伝送用データ信号の総和は、常に一定値となる。
【００１８】
同様に、伝送部１０は、データクロック（電圧信号）から第１の伝送用データクロック（電流信号）を生成するとともに、この第１の伝送用データクロックと逆相の第２の伝送用データクロック（電流信号）を生成する。第１の伝送用データクロックは、データクロック（電圧信号）を電流レベルの変化で示した信号である。また、第１の伝送用データクロックと第２の伝送用データクロックの総和は、常に一定値となる。
【００１９】
結果的に、伝送部１０は、レーザ制御回路１１に対して、第１及び第２の伝送用データ信号、並びに第１及び第２の伝送用データクロックを出力する。レーザ制御回路１１は、第１及び第２の伝送用データ信号（電流信号）からデータ信号（電圧信号）を生成するとともに、第１及び第２の伝送用データクロック（電流信号）からデータクロック（電圧信号）を生成する。さらに、レーザ制御回路１１は、データ信号及びデータクロックに基づき、レーザ駆動制御信号を生成する。半導体レーザ３は、レーザ制御回路１１により生成されたレーザ駆動制御信号に基づき駆動し、レーザ光を照射し、光ディスクに対してデータを記録する。
【００２０】
上記説明したように、この発明の光ディスク装置では、データ信号（電圧信号）を二つの電流信号に置き換えて伝送するとともに、データクロック（電圧信号）を二つの電流信号に置き換えて伝送する。このとき、二つの電流信号の総和は、常に一定とする。これにより、電源から見たときの電流変化が無くなり、電流で伝えるための実装の影響を受けないようにすることができる。これら電流信号は、閾値と比較され検出される。例えば、最大の電流量＝Ｉ０のケースでは、閾値＝Ｉ０／２とする。
【００２１】
続いて、光ディスク装置によるデータの再生その２について説明する。ここで説明するデータの再生その２は、先に説明したデータの再生その１とデータの伝送方法が異なる以外同じである。従って、データの伝送方法のみ説明する。
【００２２】
図３に示すように、伝送部７は、データ信号（電圧信号）及びデータクロック（電圧信号）を合成して、多値レベルの電流信号に置き換える。具体的に言うと、伝送部７は、データ信号（電圧信号）及びデータクロック（電圧信号）を合成して、多値レベルの第１の伝送用データ（電流信号）を生成するとともに、この第１の伝送用データと逆相の第２の伝送用データ（電流信号）を生成する。つまり、第１の伝送用データと第２の伝送用データの総和（電流レベル）は、常に一定となる。データ信号及びデータクロックが共にハイレベル（Ｈ）のとき、第１の伝送用データは最高レベル（２Ｉ０）となる。データ信号及びデータクロックのうちの一方がハイレベル（Ｈ）で他方がローレベル（Ｌ）のとき、第１の伝送用データはハイレベル（Ｉ０）となる。データ信号及びデータクロックが共にローレベル（０）のとき、第１の伝送用データはローレベル（０）となる。第２の伝送用データは、常時、上記したような第１の伝送用データの逆相となる。
【００２３】
結果的に、伝送部７は、復調回路８に対して、第１及び第２の伝送用データを出力する。復調回路８は、第１及び第２の伝送用データ（電流信号）のレベル変化に応じて、データ信号（電圧信号）及びデータクロック（電圧信号）を生成する。つまり、第１の伝送用データのハイレベルと最高レベルの間、及び第２の伝送用データのローレベルとハイレベルの間を検出することにより、データ‘１’のタイミングが作り出せる。また、第１の伝送用データのハイレベルとローレベルの間、及び第２の伝送用データのハイレベルと最高レベルの間を検出することにより、データ‘０’のタイミングが作り出せる。さらに、復調回路８は、データクロックに基づき、データ信号を復調する。
【００２４】
続いて、光ディスク装置によるデータの記録その２について説明する。ここで説明するデータの記録その２は、先に説明したデータの記録その１とデータの伝送方法が異なる以外同じである。従って、データの伝送方法のみ説明する。
【００２５】
図３に示すように、伝送部１０は、データ信号（電圧信号）及びデータクロック（電圧信号）を合成して、多値レベルの電流信号に置き換える。具体的に言うと、伝送部１０は、データ信号（電圧信号）及びデータクロック（電圧信号）を合成して、多値レベルの第１の伝送用データ（電流信号）を生成するとともに、この第１の伝送用データと逆相の第２の伝送用データ（電流信号）を生成する。つまり、第１の伝送用データと第２の伝送用データの総和（電流レベル）は、常に一定となる。データ信号及びデータクロックが共にハイレベル（Ｈ）のとき、第１の伝送用データは最高レベル（２Ｉ０）となる。データ信号及びデータクロックのうちの一方がハイレベル（Ｈ）で他方がローレベル（Ｌ）のとき、第１の伝送用データはハイレベル（Ｉ０）となる。データ信号及びデータクロックが共に都ローレベル（０）のとき、第１の伝送用データはローレベル（０）となる。第２の伝送用データは、常時、上記したような第１の伝送用データの逆相となる。
【００２６】
結果的に、伝送部１０は、レーザ制御回路１１に対して、第１及び第２の伝送用データを出力する。レーザ制御回路１１は、第１及び第２の伝送用データ（電流信号）のレベルに応じて、データ信号（電圧信号）及びデータクロック（電圧信号）を生成する。つまり、第１の伝送用データのハイレベルと最高レベルの間、及び第２の伝送用データのローレベルとハイレベルの間を検出することにより、データ‘１’のタイミングが作り出せる。また、第１の伝送用データのハイレベルとローレベルの間、及び第２の伝送用データのハイレベルと最高レベルの間を検出することにより、データ‘０’のタイミングが作り出せる。さらに、レーザ制御回路１１は、データ信号及びデータクロックに基づき、レーザ駆動制御信号を生成する。半導体レーザ３は、レーザ制御回路１１により生成されたレーザ駆動制御信号に基づき駆動し、レーザ光を照射し、光ディスクに対してデータを記録する。
【００２７】
上記説明したように、この発明の光ディスク装置では、データ信号（電圧信号）及びデータクロックを合成して、多値レベルの第１の電流信号に置き換える。さらに、この第１の電流信号と逆相の第２の電流信号を生成する。そして、これら第１及び第２の電流信号を伝送する。このとき、二つの電流信号の総和は、常に一定とする。これにより、電源から見たときの電流変化が無くなり、電流で伝えるための実装の影響を受けないようにすることができる。
【００２８】
図４は、上記したデータクロック及びデータ信号の伝送を実現するための等価回路の一例を示す図である。送信側は、電流源Ｉ０を４つ有し、データとデータクロックの状態（レベル）に応じてスイッチング（ハイレベルのときにクローズ）し、出力１及び出力２として電流を出力する。受信側は、出力１及び出力２を抵抗等で電流−電圧変換し、ウインドウコンパレータにより、データ‘０’のタイミング及びデータ‘１’のタイミングを検出する。この際、状態によらず、出力１及び出力２の総和（電流レベル）は、常に、２Ｉ０となる。
【００２９】
上記説明したように、この発明の光ディスク装置（データの再生その１及びその２、データの記録その１及びその２）によれば、データ信号及びデータクロックを電流信号に置き換えて伝送することにより、実装基板による影響を取り除くとこができ、安定したデータの高速伝送が可能となる。また、この発明の光ディスク装置（データの記録その１及びその２）によれば、データ本数を増加させることなく、安定したデータの高速伝送が可能となる。
【００３０】
【発明の効果】
この発明によれば、伝送速度の高速化に対応することが可能な光ディスク装置を提供できる。
【図面の簡単な説明】
【図１】この発明に係る光ディスク装置の概略構成を示す図である。
【図２】電圧信号を複数の電流信号に置き換えて伝送するデータ伝送を説明するためのタイミングチャートである。
【図３】複数の電圧信号を多値レベルの電流信号に置き換えて伝送するデータ伝送を説明するためのタイミングチャートである。
【図４】この発明に係るデータ伝送を実現するための回路図である。
【符号の説明】
２…光学ヘッド
３…半導体レーザ
４…光検出器
５…２値化回路
６…ＰＬＬ回路
７…伝送部
８…復調回路
９…変調回路
１０…伝送部
１１…レーザ制御回路
１２…スピンドルモータ
【図１】
0003853997.tif 000002
【図２】
0003853997.tif 000003
【図３】
0003853997.tif 000004
【図４】
0003853997.tif 000005